(57)【特許請求の範囲】
【請求項１】
什器構造部材を支持する脚構造体であって、
上端に工具取付部を有する接床部材と、
下端部に前記接床部材が接続されると共に、接続された前記接床部材の前記工具取付部が露出される凹部を有する脚体と、
前記脚体に着脱可能とされると共に前記脚体への装着時に前記凹部を覆う着脱カバー部材と
を備え、
前記脚体は、前記着脱カバー部材の装着位置と反対側に形成され、外部から前記凹部に貫通する貫通孔を有する
ことを特徴とする脚構造体。
【請求項２】
前記脚体が、鉛直方向に対して傾斜され、
前記凹部が、傾斜した前記脚体の上方側に向く側面側に形成され、
前記接床部材の前記工具取付部が、前記着脱カバー部材の前記脚体からの脱離時に平面視にて露出する位置に配置されている
ことを特徴とする請求項１記載の脚構造体。
【請求項３】
什器構造部材と、当該什器構造部材を下方から支持する脚構造体とを備える什器であって、
前記脚構造体として、請求項１または２の脚構造体を備えることを特徴とする什器。
【発明の詳細な説明】
【技術分野】
【０００１】
本発明は、脚構造体及び什器に関するものである。
【背景技術】
【０００２】
オフィスや公共施設等の執務空間においては、執務を効率的に行うためにデスクや椅子等の執務用の什器を設置するのが一般的である。このような什器においては、執務空間の床面の不陸に対応するため、高さ調整が可能とされたアジャスタやキャスタ等の接床部材が取り付けられていることが一般的である。このような接床部材は、什器が備える脚体の下端に螺合されていることが通常であり、脚体に対して回転させることによって高さを調整可能とされている（例えば、特許文献１及び特許文献２参照）。
【先行技術文献】
【特許文献】
【０００３】
【特許文献１】特開２００４−３０５５４１号公報
【特許文献２】特開２００９−１７８１８９号公報
【発明の概要】
【発明が解決しようとする課題】
【０００４】
例えば、特許文献１及び特許文献２で示されるアジャスタの調整は、作業者がアジャスタを直接回すことによって行われる。しかしながら、什器の重量が掛かるアジャスタを素手で回すことは容易ではなく、アジャスタを回す場合には、什器を傾けたり倒したりし、アジャスタを床から離した状態で行う必要がある。
【０００５】
また、工具を用いることにより、アジャスタ等の接床部材を床に当接したまま回転させることも可能ではある。例えば、接床部材の露出部分にナット部等を配置し、このナット部をレンチによって回転させることが考えられる。しかしながら、このような場合には、接床部材の露出部分に工具を取り付ける機構を形成しておく必要があり、什器の外観に影響を与えることになる。
【０００６】
本発明は、上述する問題点に鑑みてなされたもので、外部から視認可能な位置に工具取付部を設けることなく、容易に工具により接床部材の高さ調整が可能な脚構造体及び什器を提供することを目的とする。
【課題を解決するための手段】
【０００７】
本発明は、上記課題を解決するための手段として、以下の構成を採用する。
【０００８】
第１の発明は、什器構造部材を支持する脚構造体であって、上端に工具取付部を有する接床部材と、下端部に上記接床部材が接続されると共に、接続された上記接床部材の上記工具取付部が露出される凹部を有する脚体と、上記脚体に着脱可能とされると共に上記脚体への装着時に上記凹部を覆う着脱カバー部材とを備えるという構成を採用する。
【０００９】
このような構成を採用する本発明によれば、脚体に対して凹部が形成され、この凹部を覆う着脱可能な着脱カバー部材を備えている。さらに、接床部材の上端に工具取付部を設けられ、接床部材が脚体の下端に接続された状態で工具取付部が凹部の内部に露出されている。このような本発明によれば、着脱カバー部材が装着されることにより外部より視認できなくなる位置に接床部材の工具取付部が配置される。工具取付部が脚構造体の外観に影響を与えることを防止することができ、かつ、接床部材の高さを工具によって調整することが可能となる。
【００１０】
第２の発明は、上記第１の発明において、上記脚体が、鉛直方向に対して傾斜され、上記凹部が、傾斜した上記脚体の上方側に向く側面側に形成され、上記接床部材の上記工具取付部が、上記着脱カバー部材の上記脚体からの脱離時に平面視にて露出する位置に配置されているという構成を採用する。
【００１１】
このような構成を採用する本発明によれば、脚体が傾斜され、凹部が上方側に向くように形成されている。さらに、接床部材の工具取付部が、平面視において露出するように配置されている。このため、接床部材の真上から工具取付部に工具を取り付けることができる。したがって、例えば、バッテリドライバを真上から接床部材に接続して接床部材の高さを調整することができる。よって、容易に接床部材の高さを調整することが可能となる。
【００１２】
第３の発明は、上記第１または第２の発明において、上記凹部が、上記脚体の長手方向に沿って長尺状に形成されているという構成を採用する。
【００１３】
このような構成を採用する本発明によれば、脚体の長手方向に沿って凹部が長尺状に形成されている。このため、短い凹部を形成する場合と比較して、脚体の容積を減少させることができ、脚構造体を軽量化できると共に材料の使用量を抑えることが可能となる。
【００１４】
第４の発明は、上記第１〜第３いずれかの発明において、上記脚体が、外部から上記凹部に連通される雌ネジ孔を有し、上記接床部材が、上記雌ネジ孔に螺合されると共に先端部に上記工具取付部が形成された雄ネジ部を有するという構成を採用する。
【００１５】
このような構成を採用する本願発明によれば、接床部材が雄ネジ部を有し、脚体に形成された雌ネジ孔に接床部材が螺合されている。このため、接床部材を回転させることによって容易に高さ調整を行うことが可能となる。
【００１６】
第５の発明は、上記第１〜第４いずれかの発明において、上記脚体が、上記着脱カバー部材の装着位置と反対側に形成され、外部から上記凹部に貫通する貫通孔を有するという構成を採用する。
【００１７】
このような構成を採用する本願発明によれば、脚体に対して、着脱カバー部材の装着位置と反対側に貫通孔が形成されている。このため、貫通孔に棒部材等を差し込むことによって、着脱カバー部材を凹部の内側から外側に向けて押し出すことができ、着脱カバー部材を容易に脚体から脱離することが可能となる。
【００１８】
第６の発明は、什器構造部材と、当該什器構造部材を下方から支持する脚構造体とを備える什器であって、上記脚構造体として、上記第１〜第５いずれかの発明である脚構造体を備えるという構成を採用する。
【００１９】
このような構成を採用する本願発明によれば、上記第１〜第５のいずれかの発明である脚構造体を備えている。このため、外観から視認可能な位置に工具取付部が配置されず、接床部材の高さを容易に調整することが可能となる。
【発明の効果】
【００２０】
本発明によれば、脚体に対して凹部が形成され、この凹部を覆う着脱可能な着脱カバー部材を備えている。さらに、接床部材の上端に工具取付部を設けられ、接床部材が脚体の下端に接続された状態で工具取付部が凹部の内部に露出されている。したがって、外部から視認可能な位置に工具取付部を設けることなく、容易に工具により接床部材の高さ調整をすることができる。
【図面の簡単な説明】
【００２１】
【図１】本発明の一実施形態におけるデスクの斜視図である。
【図２】本発明の一実施形態におけるデスクが備える脚構造体の縦断面図である。
【図３】本発明の一実施形態におけるデスクが備える脚構造体の一部の分解斜視図である。
【図４】本発明の一実施形態におけるデスクが備える脚体の下端部及びアジャスタを拡大した拡大縦断面図である。
【図５】本発明の一実施形態におけるデスクが備える脚体の下端部及びアジャスタを奥行方向から見た拡大正面図である。
【図６】本発明の一実施形態におけるデスクが備える脚体の下端部及びアジャスタの拡大平面図である。
【図７】本発明の一実施形態におけるデスクが備える着脱カバー部材を裏側から見た斜視図である。
【図８】本発明の一実施形態におけるデスクの変形例を示す斜視図である。
【図９】本発明の一実施形態におけるデスクの変形例が備える脚構造体の縦断面図である。
【発明を実施するための形態】
【００２２】
以下、図面を参照して、本発明に係る脚構造体及び什器の一実施形態について説明する。なお、以下の図面において、各部材を認識可能な大きさとするために、各部材の縮尺を適宜変更している。また、以下の実施形態では、本発明の脚構造体を備える什器として、デスクを挙げて説明を行う。ただし、本発明の什器はデスクに限定されるものではなく、脚構造体を備える他の什器に適用することも可能である。
【００２３】
図１は、本実施形態のデスク１の斜視図である。この図に示すように、本実施形態のデスク１は、脚構造体２と、脚構造体２によって支持される天板３（什器構造部材）とを備えている。また、図１には示されていないが、本実施形態のデスク１は、２つの脚構造体２を接続するビームや、脚構造体２と天板３とを接続する接続機構等を備えている。なお、以下の説明において、図１に示すように、天板３の長手方向であるＸ方向を幅方向と称し、天板３の短手方向であるＹ方向を奥行方向と称し、上下方向であるＺ方向を高さ方向と称する。
【００２４】
図１に示すように、本実施形態のデスク１は、幅方向に離間して配置される２つ脚構造体２を備えている。これらの脚構造体２は、不図示の接続機構によって天板３と接続されており、天板３を下方から支持している。このような２つの脚構造体２は、幅方向（Ｘ方向）において対称形状とされている。このため、以下の説明では、一方の脚構造体２（図１において手前側に図示された脚構造体２）について詳しく説明し、他方の脚構造体２についての詳細な説明は省略する。
【００２５】
図２は、脚構造体２の縦断面図である。また、図３は、脚構造体２の一部の分解斜視図である。これらの図に示すように、脚構造体２は、横杆４と、脚体５と、アジャスタ６と、着脱カバー部材７とを備えている。横杆４は、２つの脚体５の上端部同士を接続する奥行方向（Ｙ方向）に直線状に延びる長尺部材である。この横杆４は、例えば不図示のボルトによって脚体５の各々と固定されている。この横杆４の上面は、平面状とされており、天板３の載置面４ａとされている。また、横杆４の奥行方向（Ｙ方向）の端部には、脚体５を差し込むための差込口４ｂが形成されている。
【００２６】
脚体５は、１つの脚構造体２に対して２つ設けられている。これらの脚体５は、奥行方向（Ｙ方向）に離間して配置されており、各々の上端部が横杆４の端部と接続されている。このような２つの脚体５は、奥行方向（Ｙ方向）において対称形状とされている。このため、以下の説明では、一方の脚構造体２（図２において左側に図示された脚体５）について詳しく説明し、他方の脚体５についての詳細な説明は省略する。
【００２７】
脚体５は、例えばアルミダイキャストからなり、高さ方向（Ｚ方向）に延在する略直線状の柱状の部位であり、下端部５ａ側が上端部５ｂ側よりも脚構造体２の外側（平面視において横杆４と反対側）に位置するように、鉛直方向に対して傾斜されている。この脚体５の上端部５ｂは、図２及び図３に示すように、横杆４側に屈曲されている。この上端部５ｂの先端には、横杆４側に突出する差込突起５ｃが形成されている。脚体５は、差込突起５ｃが横杆４の差込口４ｂに差し込まれることによって横杆４と接続されている。なお、屈曲された上端部５ｂの上面は、平面状とされており、不図示の接続機構の載置面５ｄとされている。
【００２８】
また、脚体５は、上述のように傾斜されているため、脚構造体２の外側に向かう側面５ｅが僅かに上方側に向けられている。この側面５ｅ側には、脚体５の下端部５ａ近傍から上端部５ｂ近傍に亘って凹部５ｆが形成されている。つまり、脚構造体２は、傾斜した脚体５の上方側に向く側面５ｅ側に形成された凹部５ｆを有している。この凹部５ｆは、側面５ｅから脚構造体２の内側（他の脚体５側）に向けて窪む領域であり、脚体５の下端部５ａ近傍から上端部５ｂ近傍に亘って形成されることによって脚体５の長手方向に沿った長尺状の形状とされている。
【００２９】
また、脚体５は、凹部５ｆの内部に脚体５の長手方向に沿って形成される１つの縦リブ５ｇと、幅方向（Ｘ方向）から縦リブ５ｇと直交すると共に高さ方向（Ｙ方向）に複数配置された横リブ５ｈとを有している。これらの縦リブ５ｇと横リブ５ｈとは、脚体５の強度を向上させる。また、横リブ５ｈは、着脱カバー部材７の支持部と機能する。つまり、横リブ５ｈは、着脱カバー部材７の後述する縁部７ｄと当接する高さ（凹部５ｆの底面（脚構造体２の内側の面）からの高さ）とされており、脚体５に装着された着脱カバー部材７の縁部７ｄに当接することにより、着脱カバー部材７が凹部５ｆの内部に入り込むことを防止する。
【００３０】
図４は、脚体５の下端部５ａ及びアジャスタ６を拡大した拡大縦断面図である。図５は、脚体５の下端部５ａ及びアジャスタ６を奥行方向（Ｙ方向）から見た拡大正面図である。図６は、脚体５の下端部５ａ及びアジャスタ６の拡大平面図である。これらの図に示すように、脚体５は、下端面５ｉから上方に向けて穿設された雌ネジ孔５ｊと、雌ネジ孔５ｊと凹部５ｆとを接続する接続孔５ｋとを有している。
【００３１】
雌ネジ孔５ｊは、アジャスタ６の後述する雄ネジ部６ｂが螺合される部位である。雌ネジ孔５ｊは、接続孔５ｋを通じて凹部５ｆと連通されている。接続孔５ｋは、雌ネジ孔５ｊと平面視において同軸配置されている。これらの雌ネジ孔５ｊと接続孔５ｋとは、高さ方向に連続して接続されている。このため、アジャスタ６及び着脱カバー部材７が脚体５から取り外された状態では、平面視において、接続孔５ｋと雌ネジ孔５ｊにより脚体５が貫通される。また、アジャスタ６が脚体５に装着され、着脱カバー部材７が脚体５から取り外された状態では、図６に示すように、平面視において、接続孔５ｋを通じてアジャスタ６の頂部（雄ネジ部６ｂの上端）が凹部５ｆに露出される。このような接続孔５ｋは、アジャスタ６の高さ調整を行うための工具（例えばバッテリドライバ）が差し込まれる差込孔として用いられる。また、接続孔５ｋは、着脱カバー部材７の後述する下端突起７ｂが上方から嵌合され、脚体５に対する着脱カバー部材７の位置決め孔として用いられる。
【００３２】
また、脚体５は、図４及び図５に示すように、凹部５ｆの下端部に接続される貫通孔５ｍを有している。貫通孔５ｍは、脚体５の内側（他の脚体５側）の側面に形成されており、外部から凹部に貫通している。この貫通孔５ｍは、脚体５の着脱カバー部材７の装着位置と反対側に形成されている。このような貫通孔５ｍは、棒部材等を凹部５ｆに差し込むための開口である。貫通孔５ｍから棒部材等を差し込み、さらに着脱カバー部材７を棒部材の先端で押すことにより、着脱カバー部材７を取り外すことが可能となる。さらに、脚体５は、載置面５ｄを上下に貫通する位置決め孔５ｎを有している。この位置決め孔５ｎには、着脱カバー部材７の後述する上端突起７ｃが下方から嵌合され、これによって脚体５に対して着脱カバー部材７が位置決めされる。
【００３３】
アジャスタ６は、図４及び図５に示すように、接床部６ａと、雄ネジ部６ｂとを有している。接床部６ａは、デスク１の設置床に対して直接当接する部位である。雄ネジ部６ｂは、接床部６ａから上方に突出されており、脚体５の雌ネジ孔５ｊに螺合される部位である。また、図６に示すように、雄ネジ部６ｂの上端には、六角穴６ｃが形成されている。この六角穴６ｃは、雄ネジ部６ｂを回転させるためのスパナ（工具）が嵌合される部位である。このように、本実施形態においては、雄ネジ部６ｂの上端が工具取付部６ｄとされている。
【００３４】
本実施形態においては、アジャスタ６の雄ネジ部６ｂが雌ネジ孔５ｊに螺合されることによってアジャスタ６が脚体５の下端部に固定される。さらに、アジャスタ６の工具取付部６ｄに工具を取り付けて雄ネジ部６ｂを回転させることによって、雄ネジ部６ｂが高さ方向に移動し、アジャスタ６の高さ方向（Ｚ方向）の位置が調整される。ここで、本実施形態においては、上述のように雌ネジ孔５ｊが接続孔５ｋを通じて脚体５の凹部５ｆに連通されている。このため、雄ネジ部６ｂを雌ネジ孔５ｊに螺合させた場合には、図６に示すように、接続孔５ｋ及び雌ネジ孔５ｊを通じて、凹部５ｆにアジャスタ６の工具取付部６ｄが露出されることになる。よって、接続孔５ｋ及び雌ネジ孔５ｊを通じてスパナを差し込み、アジャスタ６の高さを調整することができる。
【００３５】
図７は、着脱カバー部材７を裏側から見た斜視図である。着脱カバー部材７は、樹脂材料により形成されており、図７に示すように、カバー部７ａと、下端突起７ｂと、上端突起７ｃと、縁部７ｄとを有している。カバー部７ａは、凹部５ｆを覆う部位であり、奥行方向（Ｙ方向）から見た凹部５ｆの形状と略同一に形状設定されている。また、脚体５と同様に、鉛直方向に対して傾斜されている。下端突起７ｂは、カバー部７ａの下端から下方に突出する突起であり、高さ方向（Ｚ方向）に変位可能な可撓性を有している。この下端突起７ｂは、着脱カバー部材７の脚体５への装着時には、脚体５の接続孔５ｋに嵌合される。上端突起７ｃは、カバー部７ａの上端から上方に突出する突起であり、高さ方向（Ｚ方向）に変位可能な可撓性を有している。この上端突起７ｃは、着脱カバー部材７の脚体５への装着時には、脚体５の位置決め孔５ｎに嵌合される。縁部７ｄは、カバー部７ａの幅方向（Ｘ方向）の端部の各々から奥行方向（Ｙ方向）に突出する部位であり、高さ方向（Ｚ方向）の全域に亘ってカバー部７ａに沿って形成されている。これらの縁部７ｄは、着脱カバー部材７の脚体５への装着時には、脚体５の凹部５ｆの内部に挿入され、凹部５ｆ内の横リブ５ｈと当接される。また、着脱カバー部材７の脚体５への装着時には、カバー部７ａの表面は、脚体５の側面５ｅと面一とされる。
【００３６】
このような着脱カバー部材７を脚体５に装着する場合には、例えば、上端突起７ｃを脚体５の位置決め孔５ｎに下方から差し込み、さらに下端突起７ｂを上方に押し上げながら、上端突起７ｃを中心として着脱カバー部材７を回動させ、カバー部７ａによって凹部５ｆが覆われるようにする。カバー部７ａが装着位置となると、下端突起７ｂが復元力によって接続孔５ｋに嵌合され、着脱カバー部材７が脚体５に固定される。一方、着脱カバー部材７を脚体５から脱離させる場合には、脚体５の貫通孔５ｍから棒部材等を差し込み、カバー部７ａを裏側から押すことにより、下端突起７ｂが弾性変形して接続孔５ｋから抜き出される。これによって、着脱カバー部材７の脚体５への固定が解除され、着脱カバー部材７を脱離することが可能となる。
【００３７】
以上のような本実施形態のデスク１及び脚構造体２においては、上端に工具取付部６ｄを有するアジャスタ６と、下端部にアジャスタ６が接続されると共に、接続されたアジャスタ６の工具取付部６ｄが露出される凹部５ｆを有する脚体５と、脚体５に着脱可能とされると共に脚体５への装着時に凹部５ｆを覆う着脱カバー部材７とを備えている。このような本実施形態の本実施形態のデスク１及び脚構造体２によれば、着脱カバー部材７が装着されることにより外部より視認できなくなる位置にアジャスタ６の工具取付部６ｄが配置される。工具取付部６ｄが脚構造体２の外観に影響を与えることを防止することができ、かつ、アジャスタ６の高さを工具によって容易に調整することが可能となる。
【００３８】
また、本実施形態のデスク１及び脚構造体２においては、脚体５が、鉛直方向に対して傾斜され、凹部５ｆが、傾斜した脚体５の上方側に向く側面５ｅ側に形成され、アジャスタ６の工具取付部６ｄが、着脱カバー部材７の脱離時に平面視にて露出する位置に配置されている。このため、アジャスタ６の真上から工具取付部６ｄに工具を取り付けることができる。したがって、例えば、スパナが装着された電動工具を真上からアジャスタ６に接続してアジャスタ６の高さを調整することができる。よって、容易にアジャスタ６の高さを調整することが可能となる。
【００３９】
また、本実施形態のデスク１及び脚構造体２においては、凹部５ｆが、脚体５の長手方向に沿って長尺状に形成されている。このため、短い凹部を形成する場合と比較して、脚体５を減容化することができ、デスク１及び脚構造体２を軽量化できると共に材料の使用量を抑えることが可能となる。
【００４０】
また、本実施形態のデスク１及び脚構造体２においては、脚体５が、外部から凹部５ｆに連通される雌ネジ孔５ｊを有し、アジャスタ６が、雌ネジ孔５ｊに螺合されると共に先端部に工具取付部６ｄが形成された雄ネジ部６ｂを有している。このため、アジャスタ６を回転させることによって容易に高さ調整を行うことが可能となる。
【００４１】
また、本実施形態のデスク１及び脚構造体２においては、脚体５が、着脱カバー部材７の装着位置と反対側に形成され、外部から凹部５ｆに貫通する貫通孔５ｍを有している。このため、貫通孔５ｍに棒部材等を差し込むことによって、着脱カバー部材７を凹部５ｆの内側から外側に向けて押し出すことができ、着脱カバー部材７を容易に脚体５から脱離することが可能となる。
【００４２】
また、本実施形態のデスク１及び脚構造体２においては、着脱カバー部材７が脚体５に対して容易に着脱可能とされている。このため、着脱カバー部材７が破損したり、汚れたりした際に容易に交換することができる。また、デスク１の設置場所や利用者の好みに応じて、着脱カバー部材７の色や仕上げ等の仕様を所望の物に容易に変更することができる。また、鉛直方向に対して傾斜された脚体５の外側の側面５ｅに対して着脱カバー部材７を取り付けることにより、利用者から見た着脱カバー部材７の見かけ上の面積（すなわち露出面）が広くなり、着脱カバー部材７の視認性が向上する。これによって、デスク１の体裁を良好なものとすることができる。
【００４３】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４４】
例えば、上記実施形態においては、脚体５が傾斜した構成について説明した。しかしながら、本発明はこれに限定されない。図８は、本発明のデスク及び脚構造体の変形例を示す斜視図である。また、図９は、同変形例の脚構造体の縦断面図である。これらの図に示すように、脚体５が鉛直方向に沿った構成を採用することも可能である。このような場合には、真上から工具をアジャスタ６の工具取付部６ｄに取り付けることはできないが、屈曲した六角スパナ等を用いることによって、容易にアジャスタ６の高さを調整することができる。また、脚構造体２が備える２つの脚体５の一方のみを、図８及び図９に示す鉛直方向に沿った脚体とする構成を採用することも可能である。
【００４５】
また、上記実施形態においては、本発明の接床部材がアジャスタ６である構成について説明した。しかしながら、本発明はこれに限定されるものではなく、キャスタを接床部材として備える構成を採用することも可能である。このような場合には、什器を容易に移動させることが可能となる。
【００４６】
また、上記実施形態においては、アジャスタ６の上端に六角穴６ｃを形成することにより工具取付部６ｄとされた構成について説明した。しかしながら、本発明はこれに限定されるものではなく、ドライバが接続可能な十字穴等を形成することによって他の形状の工具取付部とすることも可能である。
【００４７】
また、上記実施形態においては、什器構造部材として天板３を備えるデスク１が本発明の什器である構成について説明した。しかしながら、本発明はこれに限定されるものではなく、例えば、キャビネット等や着座部を什器構造部材として備える什器に適用することも可能である。
【００４８】
また、上記実施形態においては、着脱カバー部材７がボルト等の固定部材を用いることなく脚体５に固定される構成について説明した。しかしながら、本発明はこれに限定されるものではなく、ボルト等の固定部材を用いて脚体に固定する構成を採用することも可能である。
【００４９】
なお、上記実施形態においては、雌ネジ孔５ｊ及び接続孔５ｋを通じて、アジャスタ６の工具取付部６ｄが凹部５ｆに露出された構成を採用した。このように、本発明において、工具取付部が凹部に露出されるとは、凹部から直接的に工具取付部に至る経路が確保されていることを意味し、工具取付部が凹部の内部に配置されていない場合を含む。ただし、工具取付部を凹部の内部に配置された構成を採用することも可能である。
【符号の説明】
【００５０】
１……デスク（什器）、２……脚構造体、３……天板（什器構造部材）、５……脚体、５ｅ……側面、５ｆ……凹部、５ｊ……雌ネジ孔、５ｋ……接続孔、５ｍ……貫通孔、６……アジャスタ（接床部材）、６ｂ……雄ネジ部、６ｄ……工具取付部、７……着脱カバー部材
【図１】
0006623452.tif 000002
【図２】
0006623452.tif 000003
【図３】
0006623452.tif 000004
【図４】
0006623452.tif 000005
【図５】
0006623452.tif 000006
【図６】
0006623452.tif 000007
【図７】
0006623452.tif 000008
【図８】
0006623452.tif 000009
【図９】
0006623452.tif 000010